(57)【要約】【課題】  本発明は雨水や長年の使用でもスムーズに伸縮移動して、地震時には損傷するのを効率よく阻止し、かつ開口部が広くなるのを防止することができるとともに、強風でもガタつき、騒音を発生するのを阻止することができる、設置が容易な伸縮手摺を得るにある。【解決手段】  左右の建物の目地部側の床躯体に水平方向に回動可能に取付けられた一対の支柱と、この一対の支柱の上部より水平方向に突出し先端部間に目地部が設けられるように固定された一対の固定上部バーと、この一対の固定上部バーに両端部が脱落することなくスライド移動可能に取付けられたスライド上部バーと、一対の支柱に後端部が固定され先端部がスライド移動可能に一対の固定上部バー間の寸法分だけ重なり合う一対のカバー体と、この一対のカバー体の上下部材に固定された取付片およびガイド片と、この取付片およびガイド片を覆い該取付片に固定されたガイド片をスライド移動可能に支持する一対の支持具とからなるスライド支持具とで伸縮手摺を構成している。【選択図】  図１
2005188259.tif 000002
【特許請求の範囲】
【請求項１】
目地部を介して設けられた左右の建物の目地部側の床躯体あるいは壁躯体に水平方向に回動可能に取付けられた一対の支柱と、この一対の支柱の上部より水平方向に突出し、先端部間に目地部が設けられるように一体あるいは固定された一対の固定上部バーと、この一対の固定上部バーに両端部が脱落することなくスライド移動可能に取付けられたスライド上部バーと、前記一対の支柱に後端部が固定され、先端部がスライド移動可能にほぼ前記一対の固定上部バー間の寸法分だけ重なり合う一対のカバー体と、この一対のカバー体の上下部材に固定された取付片およびガイド片と、この取付片およびガイド片を覆い、該取付片に固定されたガイド片をスライド移動可能に支持する一対の支持具とからなるスライド支持具とを備えることを特徴とする伸縮手摺。
【請求項２】
目地部を介して設けられた左右の建物の目地部側の床躯体あるいは壁躯体に水平方向に回動可能に取付けられた一対の支柱と、この一対の支柱の上部より水平方向に突出し、先端部間に目地部が設けられるように一体あるいは固定された一対の固定上部バーと、この一対の固定上部バーに両端部が脱落することなくスライド移動可能に取付けられたスライド上部バーと、前記一対の支柱に後端部が固定され、先端部がスライド移動可能にほぼ前記一対の固定上部バー間の寸法分だけ重なり合う一対のカバー体と、この一対のカバー体の重なり合う部位の一方に係合片が形成され、他方に該係合片とスライド移動可能に係合する係合部とからなるスライド支持具とを備えることを特徴とする伸縮手摺。
【請求項３】
一対のカバー体は角パイプあるいは丸パイプ材で枠状に形成されたフレームと、このフレーム内をカバーするガラス、パネル、複数本の縦桟、複数本の横桟、格子等のカバー材とで構成されていることを特徴とする請求項１、２いずれかに記載の伸縮手摺。
【発明の詳細な説明】
【技術分野】
【０００１】
本発明は目地部を介して設けられた左右の建物の壁面間の目地部をカバーする伸縮手摺に関する。
【背景技術】
【０００２】
従来、この種の手摺は左右の建物の目地部側の床躯体に水平方向に回動可能に取付けられた一対の支柱と、この一対の支柱に所定間隔で後端部が固定された伸縮可能な複数個の支持バーとで構成されている。
【０００３】
したがって、従来の手摺の複数個の伸縮可能な支持バーは、雨水や長年の使用により錆付いたりして伸縮不能となり、地震時に損傷してしまうという欠点があった。
また、スムーズな伸縮ができるように隙間を大きくした伸縮可能な支持バーを用いると、風等によって衝突音が発生するという欠点があった。
【特許文献１】特開平１１−５０６２９号
【発明の開示】
【発明が解決しようとする課題】
【０００４】
本発明は以上のような従来の欠点に鑑み、雨水や長年の使用でもスムーズに伸縮移動して、地震時には損傷するのを効率よく阻止し、かつ開口部が広くなるのを防止することができるとともに、強風でもガタつき、騒音を発生するのを阻止することができる、設置が容易な伸縮手摺を提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の目地部側の床躯体あるいは壁躯体に水平方向に回動可能に取付けられた一対の支柱と、この一対の支柱の上部より水平方向に突出し、先端部間に目地部が設けられるように一体あるいは固定された一対の固定上部バーと、この一対の固定上部バーに両端部が脱落することなくスライド移動可能に取付けられたスライド上部バーと、前記一対の支柱に後端部が固定され、先端部がスライド移動可能にほぼ前記一対の固定上部バー間の寸法分だけ重なり合う一対のカバー体と、この一対のカバー体の上下部材に固定された取付片およびガイド片と、この取付片およびガイド片を覆い、該取付片に固定されたガイド片をスライド移動可能に支持する一対の支持具とからなるスライド支持具とで伸縮手摺を構成している。
【発明の効果】
【０００７】
以上の説明から明らかなように、本発明にあっては次に列挙する効果が得られる。
【０００８】
（１）一対の支柱に後端部が固定され、先端部がスライド移動可能にほぼ一対の固定上部バー間の寸法分だけ重なり合う一対のカバー体を用いているので、地震等によって目地部が広くなっても、一対のカバー体の先端部間に隙間が生じるのを防止することができる。
したがって、安全に使用することができる。
【０００９】
（２）一対のカバー体をスライド支持具によって、スライド移動可能に支持しているので、地震等によって目地部が広くなったり、狭くなったりしても、一対のカバー体の先端部が重なり合った状態を保つことができる。
したがって、一対のカバー体の移動によって、脱落事故等を確実の防止でき、安全に使用することができる。
【００１０】
（３）スライド支持具は構造が簡単で、容易に設置することができる。
【００１１】
（４）左右の建物の目地部側の床躯体あるいは壁躯体に水平方向に回動可能に取付けられた一対の支柱と、この一対の支柱の上部より水平方向に突出し、先端部間に目地部が設けられるように一体あるいは固定された一対の固定上部バーと、この一対の固定上部バーに両端部が脱落することなくスライド移動可能に取付けられたスライド上部バーと、前記一対の支柱に後端部が固定され、先端部がスライド移動可能にほぼ前記一対の固定上部バー間の寸法分だけ重なり合う一対のカバー体とで構成されているので、地震等によって左右の建物が異なる前後左右方向に揺れ動いても、一対の支柱が水平方向に回動するとともに、一対のカバー体がスライド移動して、その揺れ動きを損傷することなく吸収することができる。
したがって、長期間、損傷なく使用することができる。
【００１２】
（５）請求項２、３も前記（１）〜（４）と同様な効果が得られる。
【発明を実施するための最良の形態】
【００１３】
以下、図面に示す本発明を実施するための最良の形態より、本発明を詳細に説明する。
【００１４】
図１ないし図１１に示す本発明を実施するための最良の第１の形態において、１は目地部２を介して設けられた左右の建物３、３の渡り通路４の目地部側の壁面５、５間を覆う本発明の伸縮手摺で、この伸縮手摺１は前記左右の建物３、３の目地部側の前記壁面５、５近傍の床躯体６、６に、水平方向に回動可能に取付けられた角パイプ材製の一対の支柱７、７と、この一対の支柱７、７の上部より水平方向に突出し、先端部間に遊び空間８が設けられるように一体あるいは溶接等により固定された、前記一対の支柱７、７間の寸法Ｌのほぼ３分の１の寸法の角パイプ材製の一対の固定上部バー９、９と、この一対の固定上部バー９、９に両端部が脱落することなくスライド移動可能に取付けられた、ほぼ前記遊び空間８の２倍の寸法の角パイプ材製のスライド上部バー１０と、前記一対の支柱７、７に後端部が溶接やビス止め等によって固定された先端部がスライド移動可能にほぼ前記一対の固定上部バー９、９間の寸法分だけ重なり合う一対のカバー体１１、１１と、この一対のカバー体１１、１１の先端部を常時スライド移動可能に重なり合わせるスライド支持具１２と、前記一対の固定上部バー９、９の先端部と該一対の固定上部バー９、９側の一対のカバー体１１、１１とを吊り状態で固定する吊り固定具１３、１３とで構成されている。
【００１５】
前記一対の支柱７、７は図４に示すように、床躯体６に複数本のビス１４等によって固定されるベース板１５と、このベース板１５の中央部に上方へ突出する軸１６と、この軸１６が下部に挿入される回転可能な軸受部１７が形成された角パイプ材製の支柱本体１８とで構成されている。
【００１６】
前記一対の固定上部バー９、９は図５に示すように、後端部が前記一対の支柱７、７の上部と一体成形あるいは溶接等によって固定された角パイプ材製の固定上部バー本体１９と、この固定上部バー本体１９の先端部に嵌合固定あるいは接着剤等によって固定された支持リング２０と、前記固定上部バー本体１９の下部に形成されたガイド長孔２１とで構成されている。
【００１７】
前記スライド上部バー１０は図６に示すように、前記一対の固定上部バー９、９の支持リング２０、２０にスライド移動可能に支持される角パイプ材製のスライド上部バー本体２２と、このスライド上部バー本体２２の両端下部に固定された前記一対の固定上部バー９、９のガイド長孔２１、２１内をスライド移動できるストッパーピン２３、２３とで構成されている。
【００１８】
前記一対のカバー体１１、１１は図７に示すように、角パイプ材を枠状に形成されたフレーム２４と、このフレーム２４内をカバーするように取付けられたガラス、パネル、多孔板等のカバー材２５とで構成されている。
【００１９】
前記スライド支持具１２は図８に示すように、前記一対のカバー体１１、１１のフレーム２４、２４の上下部位の全幅寸法にわたってに固定された取付片２６、２６およびガイド片２７、２７と、この取付片２６、２６およびガイド片２７、２７を覆い、該取付片２６、２６に複数本のビス２８等によって固定されたガイド片２７、２７をスライド移動可能に支持する一対の支持具２９、２９とで構成されている。
なお、前記取付片２６、２６およびガイド片２７、２７は前記一対のカバー体１１、１１のフレーム２４、２４の上下部位の全幅寸法にわたって設ける必要はなく、最大の伸縮時にスライド移動可能に支持できるように設けられていれば良い。
【００２０】
上記構成の伸縮手摺１は、地震等によって左右の建物３、３が異なる左右方向に揺れ動き、目地部２が広くなると、図９に示すように一対の固定上部バー９、９間が広くなり、スライド上部バー１０が大きく突出した状態になるとともに、一対のカバー体１１、１１の重なり部分が少なくなるように先端部がスライド移動して、その揺れ動きを吸収する。
また、目地部２が狭くなるように動くと図１０に示すように、スライド上部バー１０の両端部が一対の固定上部バー９、９内に侵入するとともに、一対のカバー体１１、１１の重なり部分が大きくなるように先端部がスライド移動して、その揺れ動きを吸収する。
なお、スライド上部バー１０の両端部の一対の固定上部バー９、９への伸縮時には支持リング２０、２０との接触だけであるので、抵抗が小さく、スムーズにスライド移動することができる。
【００２１】
左右の建物３、３が異なる前後方向に揺れ動いた場合には、図１１に示すように一対の支柱７、７が水平方向に回動するとともに、スライド上部バー１０の伸縮および一対のカバー体１１，１１の先端部のスライド移動によって、その揺れ動きを吸収する。
[発明を実施するための異なる形態]
【００２２】
次に、図１２ないし図２９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２３】
図１２ないし図１４に示す本発明を実施するための第２の形態において、前記本発明を実施するための最良の第１の形態と主に異なる点は、一対のカバー体１１、１１のフレーム２４、２４の対向する上下部面に係止片３０が形成された係止部材３１を複数本のビス３２等によって固定するとともに、この係止部材３１の係合片３０とスライド移動可能に係合する係合凹部３３が形成された係合部材３４を複数本のビス３２によって固定させたスライド支持具１２Ａを用いた点で、このようなスライド支持具１２Ａを用いて構成した伸縮手摺１Ａにしても前記本発明を実施するための最良の第１の形態と同様な作用効果が得られる。
【００２４】
図１５ないし図１７に示す本発明を実施するための第３の形態において、前記本発明を実施するための第２の形態と主に異なる点は、丸パイプ材で形成したフレーム２４Ａ、２４Ａを用いた一対のカバー体１１Ａ、１１Ａと、Ｔ字状の係止片３０Ａが形成された係止部材３１ＡおよびＴ字状の係合凹部３３Ａが形成された係合部材３４Ａを用いたスライド支持具１２Ｂを使用した点で、このように構成した伸縮手摺１Ｂにしても、前記本発明を実施するための第２の形態と同様な作用効果が得られる。
【００２５】
図１８ないし図２０に示す本発明を実施するための第４の形態において、前記本発明を実施するための第３の形態と主に異なる点は、丸パイプ材製の一対の支柱７Ａ、７Ａ、丸パイプ材製の一対の固定上部バー９Ａ、９Ａおよび丸パイプ材製のスライド上部バー１０Ａを用いた点で、このように構成した伸縮手摺１Ｃにしても、前記本発明を実施するための第３の実施の形態と同様な作用効果が得られる。
【００２６】
図２１ないし図２３に示す本発明を実施するための第５の形態において、前記本発明を実施するための最良の第１の形態と主に異なる点は、一対の支柱７、７を目地部側の壁躯体５ａ、５ａに複数本のビス３５等で取付けられた上下部が直角方向に突出する支持金具３６に枢支軸３７、３７で回動可能に取付けるとともに、該一対の支柱７、7の上下部より水平方向に固定上・下部バー９、３８、９、３８を突出するように固定し、該固定上・下部バー９、３８、９、３８にスライド上・下部バー１０、３９をスライド移動可能に取付けた点で、このように構成した伸縮手摺１Ｄにしても、前記本発明を実施するための最良の第１の形態と同様な作用効果が得られる。
【００２７】
図２４ないし図２６に示す本発明を実施するための第６の形態において、前記本発明を実施するための最良の第１の形態と主に異なる点は、両側面に凹部４０、４０が形成されたパイプ材を用いた一対の固定上部バー９Ｂ、９Ｂと、この一対の固定上部バー９Ｂ、９Ｂの凹部４０、４０に両端部が挿入されるリップミゾ形鋼形状のスライド上部バー１０Ｂを用いるとともに、フレーム２４に所定間隔で複数本の縦桟あるいは横桟、本発明の実施の形態では縦桟４１を固定した一対のカバー体１１Ｂ、１１Ｂを用いた点で、このように構成した伸縮手摺１Ｅにしても、前記本発明を実施するための最良の第１の形態と同様な作用効果が得られる。
【００２８】
図２７ないし図２９に示す本発明を実施するための第７の形態において、前記本発明を実施するための第２の形態と主に異なる点は、フレーム２４、２４の一方の上下部の内側面あるいは外側面にアングル状の係止部材３１Ｂを固定するとともに、他方の上下部の内側面あるいは外側面に該係止部材３１Ｂの遊端部をガイドするガイド凹部４２が形成された係合部材３４Ｂを固定したスライド支持具１２Ｃを用いた点で、このように構成した伸縮手摺１Ｆにしても、前記本発明を実施するための第２の形態と同様な作用効果が得られる。
【産業上の利用可能性】
【００２９】
本発明は伸縮手摺を製造する産業および、該伸縮手摺を設置する産業で利用される。
【図面の簡単な説明】
【００３０】
【図１】本発明を実施するための最良の第１の形態の正面図。
【図２】本発明を実施するための最良の第１の形態の平面図。
【図３】図１の３−３線に沿う断面図。
【図４】本発明を実施するための最良の第１の形態の支柱の説明図。
【図５】本発明を実施するための最良の第１の形態の固定上部バーの説明図。
【図６】本発明を実施するための最良の第１の形態のスライド上部バーの説明図。
【図７】本発明を実施するための最良の第１の形態のカバー体の説明図。
【図８】本発明を実施するための最良の第１の形態のスライド支持具の説明図。
【図９】本発明を実施するための最良の第１の形態の目地部が広くなる動作説明図。
【図１０】本発明を実施するための最良の第１の形態の目地部が狭くなる動作説明図。
【図１１】本発明を実施するための最良の第１の形態の異なる前後方向の動作説明図。
【図１２】本発明を実施するための第２の形態の正面図。
【図１３】図１２の１３−１３線に沿う断面図。
【図１４】本発明を実施するための第２の形態のスライド支持具の説明図。
【図１５】本発明を実施するための第３の形態の正面図。
【図１６】図１５の１６−１６線に沿う断面図。
【図１７】本発明を実施するための第３の形態のスライド支持具の説明図。
【図１８】本発明を実施するための第４の形態の正面図。
【図１９】図１８の１９−１９線に沿う断面図。
【図２０】図１８の２０−２０線に沿う断面図。
【図２１】本発明を実施するための第５の形態の正面図。
【図２２】本発明を実施するための第５の形態の平面図。
【図２３】図２１の２３−２３線に沿う断面図。
【図２４】本発明を実施するための第６の形態の正面図。
【図２５】本発明を実施するための第６の形態の平面図。
【図２６】図２４の２６−２６線に沿う断面図。
【図２７】本発明を実施するための第７の形態の正面図。
【図２８】図２７の２８−２８線に沿う断面図。
【図２９】本発明を実施するための第７の形態のスライド支持具の説明図。
【符号の説明】
【００３１】
１、１Ａ、１Ｂ、１Ｃ、１Ｄ、１Ｅ、１Ｆ：伸縮手摺、
２：目地部、                    ３：建物、
４：渡り通路、                  ５：壁面、
６：床躯体、                    ７、７Ａ：支柱、
８：遊び空間、                  Ｌ：支柱間の寸法、
９、９Ａ、９Ｂ：固定上部バー、
１０、１０Ａ、１０Ｂ：スライド上部バー、
１１、１１Ａ、１１ｂ：カバー体、
１２、１２Ａ、１２Ｂ、１２Ｃ：スライド支持具、
１３：吊り固定具、              １４：ビス、
１５：ベース板、                １６：軸、
１７：軸受部、                  １８：支柱本体、
１９：固定上部バー本体、        ２０：支持リング、
２１：ガイド長孔、              ２２：スライド上部バー本体、
２３：ストッパーピン、          ２４、２４Ａ：フレーム、
２５：カバー材、                ２６：取付片、
２７：ガイド片、                ２８：ビス、
２９：支持具、                  ３０、３０Ａ：係止片、
３１：３１Ａ、３１Ｂ：係止部材、３２：ビス、
３３、３３Ａ：係合凹部、        ３４：３４Ａ：係合部材、
３５：ビス、                    ３６：支持金具、
３７：枢支軸、                  ３８：固定下部バー、
３９：スライド下部バー、        ４０：凹部、
４１：縦桟、                    ４２：ガイド凹部。
【図１】
2005188259.tif 000003
【図２】
2005188259.tif 000004
【図３】
2005188259.tif 000005
【図４】
2005188259.tif 000006
【図５】
2005188259.tif 000007
【図６】
2005188259.tif 000008
【図７】
2005188259.tif 000009
【図８】
2005188259.tif 000010
【図９】
2005188259.tif 000011
【図１０】
2005188259.tif 000012
【図１１】
2005188259.tif 000013
【図１２】
2005188259.tif 000014
【図１３】
2005188259.tif 000015
【図１４】
2005188259.tif 000016
【図１５】
2005188259.tif 000017
【図１６】
2005188259.tif 000018
【図１７】
2005188259.tif 000019
【図１８】
2005188259.tif 000020
【図１９】
2005188259.tif 000021
【図２０】
2005188259.tif 000022
【図２１】
2005188259.tif 000023
【図２２】
2005188259.tif 000024
【図２３】
2005188259.tif 000025
【図２４】
2005188259.tif 000026
【図２５】
2005188259.tif 000027
【図２６】
2005188259.tif 000028
【図２７】
2005188259.tif 000029
【図２８】
2005188259.tif 000030
【図２９】
2005188259.tif 000031